(57)【特許請求の範囲】
【請求項１】
低保水性の傾斜地面を植生により緑化する工法であって、
予め、少なくとも間伐材、製材屑板又は木質廃材等を含む木質系素材から所定寸法に製造した桟木またはその桟木を液肥に浸した液肥含浸桟木を複数本用意し、前記傾斜地面の表面水平方向にそって、所定間隔複数列状に前記液肥含浸桟木を敷設し、それぞれの列に敷設された前記桟木は、それらの端面を対向させて間隔がないように配置し、止め釘により前記傾斜地面へ固定し、
前記傾斜地面に降る雨水を、水平に配置された桟木の各列毎の桟木列上側に堰止め、堰き止めた雨水で桟木列近傍に播種された植生種子を冠水させると共に、その雨水を桟木を敷設した傾斜地面へ吸込せることにより播種された植生種子の発芽、発根並びに生育を促進させることを特徴とする傾斜地緑化工法。
【請求項２】
前記桟木列を各所定間隔毎に配設した傾斜地面に、草木などの種子含む植生基材を吹付けることを特徴とする請求項１記載の傾斜地緑化工法。
【請求項３】
前記傾斜地面に、草木などの種子を吹付けた藁莚又はネット状の植生基材を配設し、その上に所定間隔複数列状に前記液肥含浸桟木を敷設し、前記止め釘で固定配置することを特徴とする請求項１記載の傾斜地緑化工法。
【請求項４】
前記桟木列を構成する各桟木の断面は略方形に近い長方形であり、その一側面には溝が形成され、その溝の中には高吸水保水剤及び／又は肥料が充填されていることを特徴とする請求項１記載の傾斜地緑化工法。
【発明の詳細な説明】
【０００１】
【発明の属する技術分野】
低保水性法面の短期緑化工法に関し、詳しくは、低コストで、且つ、敷設容易な構造の傾斜地緑化工法に関する。
【０００２】
【従来の技術】
従来、道路造成や住宅団地、工業団地の造成において、法面の環境保護のための緑化が行われていた。
【０００３】
図５（ａ）道路造成工事による傾斜地面の断面図に示すように、道路面２１の工事に伴い山の斜面を切土、盛土を行い傾斜地面２０が形成される。そのような傾斜地面２０は降る雨水がその傾斜地面２０に吸収されずに、面上を通り過ぎてしまう。このため、植生のための種子を播種しても少ない降雨では発芽せず、激しい降雨ではその種子が流されてしまう問題があった。
【０００４】
また、図５（ｂ）従来の緑化工法の断面図に示すように、法面の硬く不栄養な傾斜地面にネットなどを敷設し、その上に植生基材３に種子を混入させて吹き付け工法が知られているが、降雨が少ない場合は傾斜地面２０全体では発芽に必須な水分が得られず、傾斜地面２０の発芽が著しく遅くなる問題があった。このため、緑化工事の再施工や、追加播種などの無駄な工事を余儀なくされていた。図に示すように雨水が留まる道路面２１に接する傾斜地面終端２０ａにのみ発芽、生育した場合、傾斜地全体の緑化工が失敗したと見なされることが多かった。
【０００５】
そこで、これらの問題点を解決するため急傾斜地面２０へ苗を植え付け、早期に植栽する工法が種々考えられていた。その代表的な構成では、ポリエチレン製など細目状のネットにより水溶性不織布を補強して急傾斜地面２０を全面にわたり覆うようにして所定箇所を止め釘で表面に固定し、また、その水溶性不織布には種子、肥料、或は土壌改良剤などを収納し、さらに、そのネット面には一定の間隔毎に高吸水保水剤などを入れた保水袋を付着させた植生マットが知られている。
【０００６】
このような植生マットを用いれば、傾斜地面２０を流れる雨水を吸収し、種子が発芽するに必要な水分を地表面に供給されて早期緑化が期待できるものとされていた。しかしながら、相当量の降雨がなければその効果は期待できず、小量の降雨での発芽は難しかった。また、このような植生マットを使用することは、材料コストが高く、施工費抑制上で問題があった。
【０００７】
また、これらの傾斜地に対する緑化工事は、季節を問わず発生する。このため降雨の少ない季節であっても施工することができる工法が望まれていた。
【０００８】
【発明が解決しようとする課題】
本発明は前述の問題点に鑑みてなされたもので、傾斜地緑化に際して、少ない降雨であっても、播種した傾斜地面に降雨を堰き止めると共に、傾斜地面に水分と肥料分を供給する廉価な桟木を使用し発芽、発根並びに成長を促進させる傾斜地緑化工法を提供することを目的とする。
【０００９】
また、その敷設すべき桟木に付加する機能を容易に製造できるようにすると共に、その桟木の敷設が簡単で工事期間も短くなるようにすることを目的とする。
【００１０】
【課題を解決するための手段】
本発明の傾斜地緑化工法は、低保水性の傾斜地面を植生により緑化する工法であって、
予め、少なくとも間伐材、製材屑板又は木質廃材等を含む木質系素材から所定寸法に製造した桟木またはその桟木を液肥に浸した液肥含浸桟木を複数本用意し、前記傾斜地面の表面水平方向にそって、所定間隔複数列状に前記液肥含浸桟木を敷設し、それぞれの列に敷設された前記桟木は、それらの端面を対向させて間隔がないように配置し、止め釘により前記傾斜地面へ固定し、
前記傾斜地面に降る雨水を、水平に配置された桟木の各列毎の桟木列上側に堰止め、堰き止めた雨水で桟木列近傍に播種された植生種子を冠水させると共に、その雨水を桟木を敷設した傾斜地面へ吸込せることにより播種された植生種子の発芽、発根並びに生育を促進させることを特徴とする。
【００１２】
また、前記桟木列を各所定間隔毎に配設した傾斜地面に、草木などの種子含む植生基材を吹付けることを特徴とする。
【００１３】
また、前記傾斜地面に、草木などの種子を吹付けた藁莚又はネット状の植生基材を配設し、その上に所定間隔複数列状に前記液肥含浸桟木を敷設し、前記止め釘で固定配置することを特徴とする。
【００１４】
また、前記桟木列を構成する各桟木の断面は略方形に近い長方形であり、その一側面には溝が形成され、その溝の中には高吸水保水剤及び／又は肥料が充填されていることを特徴とする。
【００１５】
【発明の実施の形態】
以下、発明の実施の形態について図に基づいて説明する。
【００１６】
図１は、傾斜地面２０に沿って敷設された桟木列１１を示したものであり、図１（ａ）は傾斜地面２０に敷設される桟木列１１の断面図であり、図１（ｂ）は、道路面２１から見た傾斜地面２０に敷設された桟木列１１の正面図を示す。
【００１７】
図１（ａ）は、傾斜地面２０の表面に桟木列１１を上下に一定間隔を開けて止め釘２で固定し、その面に、植生基材３を吹き付けた断面図である。ここで、桟木列１１は傾斜地面１１に密着するように止め釘２で固定され、少しの降雨でも、傾斜地を流下する雨水を堰き止めるように施工する。
【００１８】
また、植生基材３は、粉砕された木材樹皮などからなるバーク、ピートモス、腐葉土などの有機基材、客土などに種子を混入させたものである。
【００１９】
図１（ｂ）に示すように、桟木列１１は、液肥含浸桟木１の端面１ａを突き合わせ、傾斜地面２０上に水平に複数本並べ、止め釘２で地面に固定されている。桟木列の間隔Ｌは、傾斜地面の状況、工事期の季節、植生の種類により適宜設定することができるが略４５ｃｍ〜６０ｃｍとすることで、降雨の堰き止め効果、発芽、生育促進効果を得ることができる。
【００２０】
桟木列１１の各液肥含浸桟木１を、図２、図３に示す。図２は本発明の工法に用いる液肥含浸桟木の斜視図である。液肥含浸桟木１は、間伐材、製材廃板などの木質系材料から幅１ｘ、高さ１ｙの断面寸法に形成した桟木を液肥に漬け、十分に液肥を含浸させたものである。桟木表面は、水分を木質に吸収しやすいように、鋸歯で切断した状態の粗い表面であることが望ましい。すなわち、仕上げなどの工程は不要である。また、幅１ｘは、建築板材の最小寸歩である１．２ｃｍ程度でよい。この幅であれば、建築板材の端材を利用することができる。高さは、降雨を堰き止めるために２ｃｍ程度又はそれ以上であることが望ましい。
【００２１】
前記桟木列１１は、傾斜地面２０の面に密着するように施工しなければならないが、法面の仕上げに凹凸があり、密着固定できない場合は、その部分の桟木底面に沿わせて止水性を有する部材（ロープや、両面粘着テープで桟木底面に接着可能なスポンジ部材など）を配設することが望ましい。また、凸凹面が広範囲である場合は、その斜面部分に付いては、液肥含浸桟木１に替えて止水性ロープ等で桟木列１１を形成してもよい。
【００２２】
図３（ａ）、（ｂ）は、本発明の工法に用いる液肥含浸桟木の別の実施の形態の斜視図である。図３（ａ）は、液肥含浸桟木１の降雨を堰き止める面に横溝１ｓを設け、雨水堰き止め面の容積を増加させた構造である。この横溝は、そのまま雨水堰き止めとして施工してもよいが、溝に保水材又は／および肥料を充填して用いてもよい。
【００２３】
図３（ｂ）は、液肥含浸桟木１の降雨を堰き止める面に縦溝１ｔを設け、雨水堰き止め面の容積を増加させた構造である。この縦溝１ｔを複数本も設けてもよい。
【００２４】
なお、前記横溝１ｓ、縦溝１ｔのいずれも、製材用の丸鋸で纏めて複数本を同時加工する方法で形成することができる。
また、図３の液肥含浸桟木１は、先ず図３の形状に加工してから、次に液肥に浸ませて液肥含浸桟木１とし、さらに必要な場合保水剤及び／又は肥料を充填する。
【００２５】
いずれにしても、桟木毎構造は簡単で、精度も必要とせず、人手が不要の自動製造工程により量産することが容易である。また、その液肥含浸桟木１は現場搬入が簡単且つ、自由度があり、傾斜地での施工も軽量であり作業性に優れている。
【００２６】
図１に戻り、以上説明した桟木列１１の敷設の工法を説明する。すなわちその液肥含浸桟木１の端末１ａを隣接する液肥含浸桟木１の端末１ａと対向させて、且つ、それぞれの液肥含浸桟木１は水平方向を維持するようにして、その対向面を接触させて敷設し、止め釘２によりその傾斜面２０へ固定する。
【００２７】
次に、桟木列１１を敷設した傾斜地面２０の表面に、植生する種子を混入した植生基材３を吹付ける。このとき、液肥含浸桟木１の厚さを目安として、吹き付ける植生基材３を吹き付けることによりの吹き付け層の厚さを一定にすることができる。
【００２８】
桟木列１１の敷設を伴う植生工は、前記植生材吹き付け工に限るものではなく、藁莚工、植生シート工、植生袋工、植生マット工、植生帯工などの工法においても適用することができる。
【００２９】
草木などの種子を吹き付けた藁又はネット状の植生基材を用いた播種工の場合、予め、植生シートを傾斜地面２０に配設してから、液肥含浸桟木１を所定間隔複数列状に敷設することにより、シート固定と桟木固定を同時に行なうことができる。
【００３０】
図４は、本発明の傾斜地緑化工法の雨水堰き止め効果を説明する断面図で、（ａ）は、降雨時の状況断面図、（ｂ）は、発芽時の状況断面図である。
【００３１】
図４（ａ）に示すように、降雨７は、傾斜地面２０に吹き付けられた植生基材３の表面に降り、植生基材３に沁込んで傾斜地面２０に達する。傾斜地面２０を流下する雨水は、液肥含浸桟木１に堰き止められ堰き止め雨水７ａとなり、少しの降雨でも長時間滞留する。このため、植生基材３に混入して播種された種子５のうち液肥含浸桟木１の上部近傍に播かれた種子は、堰き止め雨水７ａに冠水された状態となる。
【００３２】
図４（ｂ）に示すように、冠水された種子５、および堰き止め雨水７ａが、傾斜地面２０に浸透した浸透雨水７ｂ近傍の種子５は発芽が促進されて発芽種子５ａとなる。なお、図４では種子を混入した植生基材吹付工で説明したが、本発明の工法では薄層の種子吹付工でも同様な効果を得ることができる。従って、法面の硬度などの状況に適した播種工法を適用することができる。
【００３３】
このように発芽した発芽種子５ａは、桟木列１１の上下近傍で先ず発生するが、その成長により、地中の根が更に保水性を高め、生育した茎・葉が上下に日陰を形成して周辺の発芽・生育を促進する。このため、傾斜地全体の緑化が促進される。
【００３４】
さらに、本発明によれば、液肥含浸桟木１に含浸された肥料が雨水に溶けて、桟木１から傾斜地面２０へ移り、その発芽した種子の育成を促進することができる。
【００３５】
本発明の液肥含浸桟木１は、木質系素材であるため、やがて分解して有機物となるため、公害原因となることがない。
【００３６】
【発明の効果】
本発明の傾斜地緑化工法によれば、少ない降雨であっても、播種した傾斜地面に降雨を堰き止めると共に、傾斜地面に水分と肥料分を供給し発芽・生育を促進し確実に早期に緑化させることができる。
【００３７】
また、本発明の工法に用いる液肥含浸桟木は、構造が簡単で加工しやすく、間伐材の利用など素材が調達しやすく、環境問題がない。さらに、含浸された液肥により発芽した植生の生育を促進させることができる。
【００３８】
またさらに、施工時期を選ぶことなく、急傾斜面、硬い地盤などの現場状況、播種工の如何を問わず適用することができる。
【００３９】
しかも、資材である桟木が安価・軽量であり現場搬入、敷設作業も容易であり、資材コスト・作業コストを大幅に抑制することができる。
【図面の簡単な説明】
【図１】（ａ）は傾斜地面２０に敷設される桟木列１１の断面図、（ｂ）は、道路面２１から見た傾斜地面２０に敷設された桟木列１１の正面図である。
【図２】本発明の工法に用いる液肥含浸桟木を示す図である。
【図３】本発明の工法に用いる別の液肥含浸桟木の実施の形態を示す図で、（ａ）は横溝付き桟木の斜視図、（ｂ）は縦溝付き桟木の斜視図である。
【図４】本発明の傾斜地緑化工法の雨水堰き止め効果を説明する断面図で、（ａ）は、降雨時の状況断面図、（ｂ）は、発芽時の状況断面図である。
【図５】（ａ）は、道路造成工事による傾斜地面の断面図、（ｂ）は、従来の緑化工法の断面図である。
【符号の説明】
１    桟木、液肥含浸桟木
１ａ  端面
１ｓ  横溝
１ｔ  縦溝
１ｘ  幅
１ｙ  高さ
２    止め釘
３    植生基材
５    種子
５ａ  発芽種子
７    降雨
７ａ  堰止め雨水
７ｂ  浸透雨水
１１  桟木列
２０  傾斜地面
２１  道路面
Ｌ    桟木列間隔
【図１】
0003711496.tif 000002
【図２】
0003711496.tif 000003
【図３】
0003711496.tif 000004
【図４】
0003711496.tif 000005
【図５】
0003711496.tif 000006